(57)【要約】      （修正有）【課題】ドア半開時に、台座および受座ボックスの取り外しを防止する。【解決手段】壁面にねじ１１ａ留めしたボビン状の台座１ａ側から、ドア面にねじ１１ｂ留めした箱状の受座ボックス７側へ、板状のアーム体１０ａを掛け渡して、ドアを半開角に保持する手段において、台座１ａ側においては、平行に配置した、支軸４ａを中心点とする円周上にねじ１１ａを配置した内板２ａと、外板３ａ間を、接続部を介して連結する支軸４ａに、中心軸側はねじ１１ａの直上を覆うように形状を調整し、他方、スライド穴８へ掛け止めする側にはフックピン１３を配設したアーム体１０ａを取り付ける。【選択図】図１
2005240527.tif 000002
【特許請求の範囲】
【請求項１】
壁面にねじ１１ａ留めしたボビン状の台座側から、ドア面にねじ１１ｂ留めした箱状の受け座ボックス側へ、板状のアーム体を掛け渡して、ドアを半開角に保持する手段において、台座側においては、平行に配置した、支軸を中心点とする円周上にねじ１１ａを配置した内板と、外板間を、接続部を介して連結する支軸に、中心軸側はねじ１１ａの直上を覆うように形状を調整し、他方、スライド穴へ掛け止めする側にはフックピン１３を配設したアーム体を取り付ける、ドア半開保持具。
【発明の詳細な説明】
【技術分野】
【０００１】  本発明は、ドア半開時に、台座および受座ボックスの取り外しを防止する事に関する。
【背景技術】
【０００２】  図４に従来のドア半開保持具の一例を示すように、ドア面にねじ１１ｄ留めした台座１ｃ側から、壁面にねじ１１ｅ留めした受座１５側へ、アーム体１０ｃを掛け渡して、ドアを半開角に保持する手段において、ねじ１１ｄと１１ｅは、頭部が露出している無防備状態のため、半開の隙間から差し入れたドライバで緩めて、台座或いは受座そのものを取り外す事は簡単に可能である。その結果、外部からの侵入者によって、時には、経済的、精神的に大きな被害を受ける事も十分予想できる。
【特許文献１】  特開平７−３０５５５５
【特許文献２】  特願２００３−３８９９４０
【特許文献３】  特願２００３−４３６６８２
【発明の開示】
【発明が解決しようとする課題】
【０００３】  解決しようとする課題は、台座および受座ボックス取り付け用ねじの直上に、半開時には直上位置を外れない仕組みのカバー体を配置して、ねじの取り外しを防止する事である。
【課題を解決するための手段】
【０００４】  壁面にねじ１１ａ留めしたボビン状の台座側から、ドア面にねじ留めした箱状の受座ボックス側へ、板状のアーム体を掛け渡して、ドアを半開角に保持する手段において、台座側においては、平行に配置した、支軸を中心点とする円周上にねじ１１ａを配置した内板と、外板間を、接続部を介して連結する支軸に、中心軸側はねじ１１ａの直上を覆うように形状を調整し、他方、スライド穴へ掛け止めする側にはフックピンを配設したアーム体を取り付けるものである。
【発明の効果】
【０００５】  台座および受座ボックス取り付け用ねじ１１ａおよび１１ｂの直上に、ドア半開時には、直上位置を外れない仕組みのカバー体を配置する事により、台座および受座ボックスの取り外しが防止されるので、その結果、防犯効果に対して一段の向上を図る事が期待できる。
【発明を実施するための最良の形態】
【０００６】  ボビン状の台座の内板と外板間を連結する支軸の接続方式により、実施例１では、各部品が分解可能なねじ接続方式について、実施例２では、分解不可能な固着方式について、それぞれ説明する。
【実施例１】
【０００７】  図１に基づいて説明する。まず、支軸４ａを中心点とする円周上に配置したねじ１１ａで内板２ａを壁面に留める。次に、ねじ部５ｃと５ｄを介して支軸を内板と締結する。その次に、中心軸側はねじ１１ａの直上を覆うように形状を調整し、他方、スライド穴へ掛け止めする側にはフックピン１３を配設したアーム体１０ａを支軸に取り付ける。最後に、外周側にストッパーピン６を配設した外板３ａを、ストッパーピンの周回軌道上に掛かるアーム体と一緒に回転しながら、ねじ部５ａと５ｂを介して支軸と締結する。この時、ストッパーピンが支軸の右側に設定されるように、ねじ部５ａの締め加減で調整する。【０００８】  前記に対して、台座側から受座ボックス側へアーム体を掛け渡しているドア半開時に、外部の者が、半開の隙間からの操作で解錠を企てた場合の対策について、図１に基づいて説明する。内板２ａは、ねじ１１ａの直上には形状を調整したアーム体が覆っているので、外板３ａか、或いは，支軸４ａの取り外しを試みることになる。操作１として、外板を反時計回りに回転させた場合、ストッパーピン６が、周回軌道上の６ａの位置でアーム体の上面に突き当たり、回転はストップする。操作２として、外板を時計回りに回転させた場合、ストッパーピン６が、周回軌道上の６ｂの位置でアーム体の下面に突き当たり、さらに回転を続けた場合は、アーム体のスライド穴へ掛け止めしている側が、スライド穴に沿って押し上げられ、ドアの回動とアーム体の回動は連動するので、掛け外し口に達する時には、ドアは閉鎖している。操作３として、支軸を反時計回りに回転させた場合、外板も一緒に回転し、結果は操作１と同じになる。以上の３操作の試みでは、外板と支軸の取り外しは防止されるので、その結果、ねじ１１ａを緩めて、内板を取り外す事も防止される。
【実施例２】
【０００９】  図２に基づいて説明する。台座１ｂ側は、平行に配置した、支軸４ｂを中心点とする円周上にねじ穴を配置した内板２ｂと、同ねじ穴の軸ライン上にドライバ穴１７を配置した外板３ｂ間を、固着部１６ａと１６ｂおよび１６ｃと１６ｄを介して連結する支軸に、中心軸側はねじ１１ａの直上を覆うように形状を調整し、さらに、前記と同径の円周上には切り欠け部１８ａを配設し、他方、スライド穴へ掛け止めする側にはフックピン１３を配設したアーム体１０ｂを取り付ける構成になっている。これを壁面に取り付けるには、まず、ねじ穴とドライバ穴を結ぶライン上に切り欠け部１８ａを設定する。次に、ねじ１１ａをドライバ穴１７から差し込んで、内板のねじ穴上に仮り置きする。最後に、ドライバをドライバ穴から差し込み、仮り置きしてあるねじ１１ａを締める。以上において、固着部１６ａと１６ｂ間および１６ｃと１６ｄ間の固着方式には、一例として溶接方式があるが、方式は特定しない。また、ねじ１１ａは、アーム体の回動に伴って回動する切り欠け部の回動範囲ｖである１８ａと１８ｂ間の直下への配置は避ける。【００１０】  前記に対して、台座側から受座ボックス側へアーム体を掛け渡しているドア半開時に、外部の者が、半開の隙間から、ドライバをドライバ穴に差し込んで、ねじ１１ａを緩めて、台座の取り外しを試みた場合の対策について、図２に基づいて説明する。仮に、ドライバをドライバ穴に差し込んでも，ねじ１１ａの直上には、切り欠け部は配置されておらず、形状を調整したアーム体が覆っているので、ねじ１１ａを緩めて台座を取り外す事は防止される。【００１１】  箱状の受座ボックス７については、特願２００３−４３６６８２として出願済みであるが、図１（ｄ）および図３に基づいて、簡単に説明する。受座ボックス７は、図３（ａ）において、ボックスの内側からドア面にねじ１１ｂ留めする。次に、図３（ｂ）に示すように、図３（ｅ）の要領で差し込んだカバープレート１２を、ねじ１１ｂの直上にねじ１１ｃ留めする。一方、図１（ｄ）に示すように、ドア半開時のスライド穴８には、フックピン１３を配設したアーム体が掛け止めされている。【００１２】  前記に対して、外部の者が、ドア半開の隙間からの操作で、ねじ１１ｂを緩めて、受座ボックスの取り外しを企てた場合は、その前に、ねじ１１ｃを取り外して、カバープレートをボックス内で移動して、ねじ１１ｂの直上位置から外すか、或いは、スライド穴から抜き取る必要があるが、前の試みでは、図３（ｃ）に示すように、直上位置から外れる事はなく、後の試みでは、図１（ｄ）に示すように、スライド穴に掛け止めされているアーム体が抜き取りをブロックしているので、以上の２つの試みに対しては、企てを防止する事ができる。
【図面の簡単な説明】
【００１３】
【図１】実施例１に関する説明  （ａ）本発明のドア半開保持具の斜視図  （ｂ）図１（ａ）におけるＡ−Ａ線断面図とＢ−Ｂ線断面図  （ｃ）図１（ｂ）におけるドア閉鎖時の掛け外し口周辺の簡略図  （ｄ）図１（ａ）における平面図で、受座ボックスにおいてはＣ−Ｃ線断面図  （ｅ）外板  （ｆ）アーム体  （ｇ）支軸  （ｈ）内板
【図２】実施例２に関する説明  （ａ）台座側の斜視図  （ｂ）図２（ａ）の平面図  （ｃ）図２（ｂ）のＤ−Ｄ線によって切断した、図２（ａ）の断面図  （ｄ）外板  （ｅ）アーム体  （ｆ）支軸  （ｇ）内板
【図３】受座ボックスに関する説明  （ａ）ドア面に内側からねじ１１ｂ留めした受座ボックスの正面図  （ｂ）図３（ａ）においてねじ１１ｂの直上にカバープレート１２をねじ１１ｃ留めした受座ボックスの正面図  （ｃ）図３（ｂ）において、ねじ１１ｃを取り外し、カバープレートを左側１２ａか、或いは、右側１２ｂに寄せた設定の受座ボックスの正面図  （ｄ）カバープレート  （ｅ）カバープレートの受座ボックス内への抜き差しの要領を示す、図３（ｂ）におけるＥ−Ｅ線断面図
【図４】従来のドア半開保持具の一例の斜視図
【符号の説明】
【００１４】１ａ  １ｂ  １ｃ  台座
２ａ  ２ｂ  内板
３ａ  ３ｂ  外板
４ａ  ４ｂ  支軸
５ａ  ５ｂ  ５ｃ  ５ｄ  ねじ部
６    ６ａ  ６ｂ  ストッパーピン
７  受座ボックス
８  スライド穴
９  掛け外し口
１０ａ  １０ｂ  １０ｃ  アーム体
１１ａ  １１ｂ  １１ｃ  １１ｄ  １１ｅ  ねじ
１２  １２ａ  １２ｂ  カバープレート
１３  フックピン
１４ａ  １４ｂ  ねじ穴
１５  受座
１６ａ  １６ｂ  １６ｃ  １６ｄ  固着部
１７  ドライバ穴
１８ａ  １８ｂ  切り欠け部
１９  壁
２０  ドア
ｐ  矢印の方向は、外板のねじ部５ａの締まる方向
ｑ  矢印の方向は、支軸のねじ部５ｂの締まる方向
ｒ  矢印の方向は、支軸のねじ部５ｃの締まる方向
ｓ  ドアの回動に伴って回動するアーム体の回動範囲
ｔ  受座ボックスの側面の板厚
ｗ  ドアの閉鎖角と半開角間の回動範囲
ｖ  アーム体の回動に伴って１８ａと１８ｂ間を回動する切り欠け部の回動範囲
【図１】
2005240527.tif 000003
【図２】
2005240527.tif 000004
【図３】
2005240527.tif 000005
【図４】
2005240527.tif 000006